(57)【要約】【課題】ガラス片による作業者の足部の切創事故を確実に防ぐことができる足カバーと、発塵せず、ガラス片による切創事故を確実に防ぐことができる足部の無塵防護構造を提供すること。【解決手段】一端に履口部１１、他端に作業者の足指部Ｔを出す足指開口部１２を有する筒状の編地１から成り、胴部に作業者の踵部Ｈを出す踵開口部１３を有する足カバー１０において、編地１を芳香族ポリアミド繊維を主成分とする紡績糸で編成した。また、作業者の足指部Ｔ及び踵部Ｈを保護する短靴部２１と足甲部Ｄ、足首部Ａ及び下腿部Ｃを覆う無塵布から成るフード部２２とを備える無塵ブーツ２０と、足カバー１０とを組み合わせて、足部の無塵防護構造１００を構成した。【選択図】図３
2012031531.tif 000002
【特許請求の範囲】
【請求項１】
一端に履口部を有し、他端に作業者の足指部を出すための足指開口部を有する筒状の編地から成り、該編地の筒胴部の前記足指開口部寄りに作業者の踵部を出すための踵開口部を有する足カバーであって、
前記編地が、芳香族ポリアミド繊維を主成分とする紡績糸を含む編糸を編成して成ることを特徴とした足カバー。
【請求項２】
前記編地が、直筒状にゴム編みされて成ることを特徴とした請求項１に記載の足カバー。
【請求項３】
前記編地に伸縮糸が編み込まれていることを特徴とした請求項１または請求項２に記載の足カバー。
【請求項４】
作業者の足部に着用される請求項１〜請求項３の何れか一つに記載の足カバーと、
作業者の足指部及び踵部を覆う保護部材を備えた短靴部と、該短靴部に設けられ、作業者の足甲部、足首部、及び下腿部を覆う無塵布から成る筒状のフード部とを備え、前記足カバーを覆って作業者の足部に着用される無塵ブーツと、
から成ることを特徴とした足部の無塵防護構造。
【発明の詳細な説明】
【技術分野】
【０００１】
本発明は、足カバー及びこれを用いた足部の無塵防護構造に関する。
【背景技術】
【０００２】
従来、例えば電子部品の封着材や絶縁材等の原材料として使用されるガラス材料を製造する場合、不純物の混入を防ぐために、作業者は無塵衣服を着用し、クリーンルーム内で作業を行うようにしている。下記の特許文献１に無塵ブーツの一例が開示されている。
【先行技術文献】
【特許文献】
【０００３】
【特許文献１】特開平１１−５６４０４号公報
【発明の概要】
【発明が解決しようとする課題】
【０００４】
しかしながら、かかるガラス材料の製造工程においては、衣服等からの発塵を防ぐだけでなく、成形したガラス片との接触による切創事故にも対処する必要があるところ、従来のクリーンルーム用の無塵衣服では、ガラス片による切創事故を有効に防ぐことができない問題があった。
【０００５】
本発明は、従来の無塵衣服に上記のような問題があったことに鑑みて為されたもので、ガラス片による作業者の足部の切創事故を確実に防ぐことができ、安全に作業を行い得る足カバーを提供することを課題とする。
【０００６】
また、本発明は、発塵せず、ガラス片による切創事故を確実に防ぐことができる足部の無塵防護構造を提供することを課題とする。
【課題を解決するための手段】
【０００７】
本発明は、一端に履口部を有し、他端に作業者の足指部を出すための足指開口部を有する筒状の編地から成り、該編地の筒胴部の前記足指開口部寄りに作業者の踵部を出すための踵開口部を有する足カバーであって、
前記編地が、芳香族ポリアミド繊維を主成分とする紡績糸を含む編糸を編成して成ることを特徴としている。
【０００８】
また、本発明は、前記編地が直筒状にゴム編みされて成ることを特徴としている。
【０００９】
また、本発明は、前記編地に伸縮糸が編み込まれていることを特徴としている。
【００１０】
また、本発明は、足部の無塵防護構造であって、
作業者の足部に着用される前記足カバーと；作業者の足指部及び踵部を覆う保護部材を備えた短靴部と、該短靴部に設けられ、作業者の足甲部、足首部、及び下腿部を覆う無塵布から成る筒状のフード部とを備え、前記足カバーを覆って作業者の足部に着用される無塵ブーツと；から成ることを特徴としている。
【発明の効果】
【００１１】
本発明に係る足カバーによれば、強度、弾性率等に優れた芳香族ポリアミド繊維を主成分とする編地によって、作業者の足甲部、足首部、及び下腿部を覆うことができるので、ガラス材料の製造工程等において作業者の足部が成形ガラス片と接触しても、切創事故を確実に防ぐことができる。
【００１２】
しかも、足カバーの足指開口部及び踵開口部からそれぞれ、作業者の足指部及び踵部を出すことができるので、たとえ作業中に足部が発汗しても、足指部等が蒸れて不快になることがなく、また、足指部や踵部と吸湿性に劣る編地との間ですべりが生じて却って作業の危険を招くようなこともない。
【００１３】
また、編地がゴム編みされて成り、伸縮糸が編み込まれた足カバーによれば、編地の厚みを大きくすることができ、切創防止効果を高めることができる。また、編地を特に周方向に大きく伸縮させることができるので、足カバーを足部に無理なくフィットさせることができ、作業中においても作業者の足甲部、足首部、及び下腿部を確実に覆って切創事故を防ぐことができる。
【００１４】
また、本発明に係る足部の無塵防護構造によれば、発塵する足カバーを、発塵しない無塵ブーツによって完全に覆うことができるので、クリーンルーム内への発塵を防ぐことができる。しかも、作業者の足指部及び踵部を無塵ブーツの短靴部の保護部材によって覆うと同時に、作業者の足甲部、足首部、及び下腿部を足カバーによって覆うことができるので、作業者の足部をガラス片による切創事故から確実に防護することができる。また、作業者の足甲部及び足首部を、比較的に柔軟な足カバー及び無塵ブーツのフード部で覆うことができるので、作業者の動き易さを損う難点もない。
【図面の簡単な説明】
【００１５】
【図１】本実施形態の足カバーの全体斜視図である。
【図２】本実施形態の足カバーを作業者の足部に着用した状態の側面図である。
【図３】本実施形態の足部の無塵防護構造の一部断面側面図である。
【発明を実施するための形態】
【００１６】
本実施形態の足カバー１０は、図１に示すように、筒状の編地１から成り、一端に作業者の足部を挿入するための履口部１１を有し、他端に作業者の足指部を外へ出すための足指開口部１２を有している。また、編地１の筒胴部における足指開口部１２寄りには、作業者の踵部を外へ出すための踵開口部１３が設けられている。これら履口部１１、足指開口部１２、及び踵開口部１３の口縁部はそれぞれ、かがり縫いされている。そして、編地１は、芳香族ポリアミド繊維を主成分とする紡績糸を含む編糸により編成されている。
【００１７】
本実施形態の足カバー１０は、以下の製造方法によって簡単かつ迅速に製造することができる。まず、ケブラー繊維（登録商標）を含む紡績糸を、伸縮糸を周方向に編み込みながらゴム編みすることによって編地を直筒状に編成する。そして、編成された編地を所定長さ（例えば約３６０ｍｍ）で切断し、両端開口部の口縁部をそれぞれ、かがり縫いすることによって、同じ開口周長（例えば約１８０ｍｍ）を有する履口部１１及び足指開口部１２を形成する。なお、筒状の編地は、既存の自動軍手編機や自動靴下編機の設定を適宜変更して編成することができる。
【００１８】
次いで、この編地１の筒胴部の足指開口部１２寄りの所定位置（例えば足指開口部１２から約６０ｍｍ離れた位置）を中心として筒胴部を略円形（例えば半径約２０ｍｍ）に切り取る。そして、この切り取り縁部をかがり縫いすることによって、踵開口部１３を形成する。こうして本実施形態の足カバー１０を簡単かつ迅速に製造することができる。
【００１９】
なお、紡績糸の太さ（線密度）は、１／６０〜１／３０  ｇ／ｍであることが好ましい。芳香族ポリアミド繊維の混紡率は、７５％以上であることが好ましい。また、紡績糸は、単糸であっても、双糸であってもよく、他の糸条と引き揃えて或いは合撚されて用いられてもよい。また、編地１の目付は、１００〜３００  ｇ／平方メートルであることが好ましい。また、伸縮糸としては、ゴム糸、ウレタン系の弾性糸、弾性糸を他の繊維でカバリングしたカバリング糸、ウーリー加工糸等を用いることができる。
【００２０】
図２に示すように、本実施形態の足カバー１０を作業者の足部Ｌに着用すれば、強度、弾性率等に優れた芳香族ポリアミド繊維を主成分とする編地１によって、作業者の足甲部Ｄ、足首部Ａ、及び下腿部Ｃを覆うことができる。したがって、例えばガラス材料の製造工程等において作業者の足部が成形ガラス片と接触しても、切創事故を確実に防ぐことができる。
【００２１】
しかも、足カバー１０の足指開口部１２及び踵開口部１３からそれぞれ、作業者の足指部Ｔ及び踵部Ｈを出すことができるので、たとえ作業中に足部が発汗しても、足指部Ｔや踵部Ｈがすべって作業の危険を招くおそれもない。つまり、芳香族ポリアミド繊維は、強度等に優れている半面、吸湿性に劣るため、仮に足指部Ｔ等が編地１により覆われていると、足指部Ｔ等が蒸れて不快になるばかりでなく、足指部Ｔや踵部Ｈと編地１との間ですべりが生じ、却って作業の危険を招くことになるのである。このように本実施形態の足カバー１０によれば、ガラス片との接触による切創事故のみならず、発汗等に起因するすべりによる事故も未然に防ぐことができる。
【００２２】
また、本実施形態の足カバー１０は、編地１がゴム編みされて成るので、編地１の厚みを大きくすることができ、切創防止効果を高めることができる。また、編地１がゴム編みされて成り、さらに伸縮糸が編み込まれているので、編地１を特に周方向に大きく伸縮させることができる。したがって、編地１を足部Ｌに無理なくフィットさせることができ、作業中においても作業者の足甲部Ｄ、足首部Ａ、及び下腿部Ｃを確実に覆って切創事故を防ぐことができる。
【００２３】
また、本実施形態の足カバー１０は、作業者の足裏部Ｂの土踏まず部分を覆っているので、作業中に足カバー１０が上方にずり上がるようなこともなく、確実に作業者の足甲部Ｄや足首部Ａ等をガラス片による切創事故から保護することができる。
【００２４】
なお、足カバー１０は、綿繊維、アクリル繊維、ポリエステル繊維等から成る周知の靴下の上に重ねて着用することが好ましい。また、作業者の下腿部Ｃにおいて作業ズボンの裾部を足カバー１０の内側へ入れてもよく、外側へ出してもよい。
【００２５】
次に、図３を参照しながら、上記足カバー１０を用いた足部の無塵防護構造１００について説明する。
【００２６】
本実施形態の足部の無塵防護構造１００は、作業者の足部に着用される足カバー１０と、この足カバー１０を覆って作業者の足部に着用される発塵しない無塵ブーツ２０と、から構成されている。
【００２７】
無塵ブーツ２０は、作業者の足指部Ｔ、足裏部Ｂ、及び踵部Ｈを覆う短靴部２１と、この短靴部２１に設けられ、作業者の足甲部Ｄ、足首部Ａ、及び下腿部Ｃを覆う筒状のフード部２２と、から構成されている。短靴部２１は、合成樹脂製または金属製の不図示の保護部材が内装されており、この防護部材が作業者の足指部Ｔ及び踵部Ｈを覆うことによって、ガラス片による切創事故を確実に防ぐことができる。また、フード部２２は、短靴部２１の履口部に接続され、柔軟な無塵布から構成されている。フード部２２は、その所定位置に複数のゴム伸縮部を備え、作業者の動き易さを損なうことなく足部にフィットし、また、ブーツ内の塵埃が外部へ漏れるのを防ぐ。
【００２８】
本実施形態の足部の無塵防護構造１００によれば、発塵する足カバー１０を、発塵しない無塵ブーツ２０により完全に覆うことができるので、クリーンルーム内への発塵を防ぐことができる。
【００２９】
しかも、作業者の足指部Ｔ及び踵部Ｈを無塵ブーツ２０の短靴部２１の保護部材によって覆うと同時に、作業者の足甲部Ｄ、足首部Ａ、及び下腿部Ｃを足カバー１０によって覆うことができるので、作業者の足部をガラス片による切創事故から確実に防護することができる。
【００３０】
また、作業者の足甲部Ｄ及び足首部Ａを、比較的に柔軟な足カバー１０及び無塵ブーツ２０のフード部２２で覆うことができるので、作業者の動き易さを損う難点もない。
【００３１】
なお、図３中、符号３で指示するものは、クリーンルーム用の無塵ズボンである。図３に示すように、作業者の下腿部Ｃにおいて無塵ズボン３の裾部を足カバー１０と無塵ブーツ２０との間に入れることが好ましい。
【００３２】
以上、本実施形態の足カバー１０及びこれを用いた足部の無塵防護構造１００について説明したが、本発明は他の実施形態でも実施することができる。
【００３３】
例えば、上記実施形態では、足カバー１０の編地１を、ケブラー繊維（登録商標）を主成分とする紡績糸をゴム編みして筒状に編成しているが、本発明は決してこれに限定されるものではなく、例えば、コーネックス（登録商標）、ノーメックス（登録商標）に代表されるメタ系アラミド繊維や、テクノーラ（登録商標）、トワロン（登録商標）に代表されるパラ系アラミド繊維を主成分とする紡績糸を使用してもよい。特にパラ系アラミド繊維を主成分とする紡績糸を用いることが好ましい。また、編地１を、例えば平編みや他の応用組織で編成するようにしてもよい。
【００３４】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施してもよい。
【符号の説明】
【００３５】
１０  足カバー
１  編地
１１  履口部
１２  足指開口部
１３  踵開口部
２０  無塵ブーツ
２１  短靴部
２２  フード部
１００  足部の無塵防護構造
Ｌ  足部
Ｔ  足指部
Ｄ  足甲部
Ａ  足首部
Ｃ  下腿部
Ｈ  踵部
【図１】
2012031531.tif 000003
【図２】
2012031531.tif 000004
【図３】
2012031531.tif 000005